(57)【要約】【課題】利用者が必要とする種類の計測データをリソースの無駄を生じることなく必要十分に登録できるようにする。【解決手段】健康機器ＶＤ１〜ＶＤｍにより計測されたデータを含む伝送データを受信した場合に、当該受信された伝送データを解析して利用者ＩＤと機器ＩＤを抽出し、この抽出された利用者ＩＤに対応する設定ファイルに上記機器ＩＤに対応する項目が設定されているか否かを判定する。そして、項目が設定されていないと判定された場合には、当該設定ファイルに新たな項目を追加し、この新たな項目が追加された設定ファイルの設定内容に基づいてデータテーブルを新たに構築し、上記受信された伝送データから計測データを抽出して、この抽出された計測データを上記新たに構築されたデータテーブルに格納する。【選択図】図２
2014215690.tif 000002
【特許請求の範囲】
【請求項１】
計測機器により計測されたデータを蓄積して閲覧に供する計測データ管理装置であって、
前記計測データを種類別に記憶する複数のデータテーブルと、
前記複数のデータテーブルと計測データの種類との対応関係を表す情報を保持する設定ファイルと、
前記計測機器により計測されたデータを含む伝送データを受信した場合に、当該受信された伝送データに含まれる計測データの種類が前記設定ファイルに登録済か未登録かを判定する手段と、
前記判定する手段により未登録と判定された場合に、前記設定ファイルに新たな項目を追加する手段と、
前記新たな項目が追加された設定ファイルに基づいて、前記未登録と判定された計測データの種類に対応するデータテーブルを構築する手段と、
前記受信された伝送データから計測データを抽出し、この抽出された計測データを前記構築された対応するデータテーブルに格納する手段と
を具備することを特徴とする計測データ管理装置。
【請求項２】
複数種類の計測データに対し共用される汎用の表示画面データを保存する手段と、
前記保存された汎用の表示画面データを読み出し、当該汎用の表示画面データのラベル情報を、前記設定ファイルの項目に記載される情報に基づいて計測データの種類を表す情報に変更する手段と、
前記ラベル情報が変更された表示画面データに、前記データテーブルから読み出された対応する種類の計測データを合成し、この合成後の表示画面データを出力する手段と
を、さらに具備することを特徴とする請求項１記載の計測データ管理装置。
【請求項３】
計測データを種類別に記憶する複数のデータテーブルと、当該複数のデータテーブルと計測データの種類との対応関係を表す情報を保持する設定ファイルを備え、計測機器により計測されたデータを前記データテーブルに蓄積して閲覧に供する計測データ管理装置が実行する計測データ管理方法であって、
前記計測機器により計測されたデータを含む伝送データを受信した場合に、当該受信された伝送データに含まれる計測データの種類が前記設定ファイルに登録済か未登録かを判定する過程と、
前記判定する過程において未登録と判定された場合に、前記設定ファイルに新たな項目を追加する過程と、
前記新たな項目が追加された設定ファイルに基づいて、前記未登録と判定された計測データの種類に対応するデータテーブルを構築する過程と、
前記受信された伝送データから計測データを抽出し、この抽出された計測データを前記構築された対応するデータテーブルに格納する過程と
を具備することを特徴とする計測データ管理方法。
【請求項４】
複数種類の計測データに対し共用される汎用の表示画面データを記憶手段から読み出し、この読み出された汎用の表示画面データのラベル情報を、前記設定ファイルの項目に記載される情報に基づいて計測データの種類を表す情報に変更する過程と、
前記ラベル情報が変更された表示画面データに、前記データテーブルから読み出された対応する種類の計測データを合成し、この合成後の表示画面データを出力する過程と
を、さらに具備することを特徴とする請求項３記載の計測データ管理方法。
【請求項５】
請求項１又は２記載の計測データ管理装置が具備する各手段が行う処理を、当該計測データ計測装置が備えるコンピュータに実行させるプログラム。
【発明の詳細な説明】
【技術分野】
【０００１】
この発明は、例えば健康機器等の計測機器により計測されたデータをデータベースに蓄積して閲覧に供する計測データ管理装置、方法及びプログラムに関する。
【背景技術】
【０００２】
一般に、個人の健康に関する情報は、カルテ情報は医療機関、健診の情報は健診機関や保険者、運動情報はフィットネスクラブ、体重等の情報は家庭というように、様々な場所に散在している。このため、個人が自身の健康情報を活用しようとすると、例えば該当する情報をそれぞれの機関等が運用するサーバ等にアクセスして取得しなければならず、手続や操作がきわめて面倒である。
【０００３】
そこで、個人の健康に関する様々な情報を一元的に管理・活用することを可能にするＰＨＲ（Personal Health Record）システムが提案されている（例えば、非特許文献１又は２を参照）。ＰＨＲシステムを利用すれば、個人が自らの意思で自身の健康に関する複数種類の情報を何時でもどこでも簡単に取得できるようになり、これにより自身の健康状態を適切に把握して健康増進や生活習慣病予防に役立てることが可能となる。
【先行技術文献】
【非特許文献】
【０００４】
【非特許文献１】「Creative Healthサービス」、ＮＴＴデータ、インターネット＜URL: http://www.creativehealth.jp/ap/a/a0000.jsp＞
【非特許文献２】「gooからだログサービス」、インターネット＜URL: http://karada.goo.ne.jp/＞
【発明の概要】
【発明が解決しようとする課題】
【０００５】
ところが、非特許文献１に記載されたシステムでは、計測データの種類の登録項目が歩数、体重、血圧等の一部の項目のみに限定されている。このため、利用者が別の種類の計測機器を購入しても、その計測データを追加登録することができない。
【０００６】
一方、非特許文献２に記載されたシステムでは、利用者の利便性を考慮して、登録される可能性がある多種類の計測データに対応して多数の登録項目が予め用意されている。しかし、このシステムであっても、用意されていない種類の計測データについては依然として追加登録することができない。また、登録の有無にかかわらず予め多数の項目を用意することになるため、データベースの記憶容量等のリソースの無駄が多くなる。
【０００７】
この発明は上記事情に着目してなされたもので、その目的とするところは、利用者が必要とする種類の計測データをリソースの無駄を生じることなく必要十分に登録できるようにした計測データ管理装置、方法及びプログラムを提供することにある。
【課題を解決するための手段】
【０００８】
上記目的を達成するためにこの発明の第１の観点は、計測データを種類別に記憶する複数のデータテーブルと、当該複数のデータテーブルと計測データの種類との対応関係を表す情報を保持する設定ファイルを備え、計測機器により計測されたデータを上記データテーブルに蓄積して閲覧に供する計測データ管理装置にあって、上記計測機器により計測されたデータを含む伝送データを受信した場合に、当該受信された伝送データに含まれる計測データの種類が上記設定ファイルに登録済か未登録かを判定する。そして、未登録と判定された場合に、上記設定ファイルに新たな項目を追加し、この新たな項目が追加された設定ファイルに基づいて上記未登録と判定された計測データの種類に対応するデータテーブルを構築し、上記受信された伝送データから計測データを抽出して、当該抽出された計測データを上記構築された対応するデータテーブルに格納するようにしたものである。
【０００９】
この発明の第２の観点は、複数種類の計測データに対し共用される汎用の表示画面データを記憶手段から読み出し、この読み出された汎用の表示画面データのラベル情報を、上記設定ファイルの項目に記載される情報に基づいて計測データの種類を表す情報に変更する。そして、このラベル情報が変更された表示画面データに、上記データテーブルから読み出された対応する種類の計測データを合成し、この合成後の表示画面データを出力するようにしたものである。
【発明の効果】
【００１０】
この発明の第１の観点によれば、計測データが受信されるごとに、当該計測データが新たな種類のものか否かが判定され、新たな種類のものだった場合には自動的に設定ファイルが書き換えられ、その内容に応じてデータテーブルが構築されて計測データが登録される。このため、例えば利用者が新たに計測機器を購入してその計測データを追加登録しようとした場合に、利用者は計測データを通常通り送信するだけで、当該新たな種類の計測データを追加登録することが可能となる。また、データベースには常に利用者の要求に応じた必要十分なデータテーブルが用意されるので、データベースの記憶容量等のリソースの無駄を無くすことが可能となる。
【００１１】
この発明の第２の観点によれば、汎用の表示画面データのラベル情報が変更されて計測データが表示されるので、管理装置（サービス事業者）側は計測データの種類毎に専用の表示画面データを作成する必要がなく、利用者側は表示画面データのラベル情報により計測データの種類を明確に識別することが可能となる。
【００１２】
すなわちこの発明の各観点によれば、利用者が必要とする種類の計測データをリソースの無駄を生じることなく必要十分に登録できるようにした計測データ管理装置、方法及びプログラムを提供することができる。
【図面の簡単な説明】
【００１３】
【図１】この発明の一実施形態に係る計測データ管理装置を含むシステムの全体構成図。
【図２】図１に示したシステムの計測データ管理装置（ＰＨＲサーバ）の機能構成を示すブロック図。
【図３】図２に示したＰＨＲサーバによる計測データ管理処理の手順と処理内容を示すフローチャート。
【図４】図１に示したシステムにおけるデータの流れを示すシーケンス図。
【図５】計測データを含む受信データの一例を示す図。
【図６】図２に示したＰＨＲサーバが備える利用者情報データベースの一例を示す図。
【図７】図２に示したＰＨＲサーバが備える機器情報データベースの一例を示す図。
【図８】図２に示したＰＨＲサーバで構築されるデータテーブルの一例を示す図。
【図９】受信データに含まれる計測データと当該計測データをデータテーブルに格納した状態の一例を示す図。
【図１０】計測データを表示するための表示画面データの一例を示す図。
【発明を実施するための形態】
【００１４】
以下、図面を参照してこの発明に係わる実施形態を説明する。  
［一実施形態］
（構成）
図１は、この発明に係る計測データ管理装置の一実施形態であるＰＨＲサーバの構成を、利用者が使用する計測機器及び中継機器と共に示した図であり、ＳＶはＰＨＲサーバ、ＶＤ１〜ＶＤｍは計測機器としての健康機器（バイタル機器）、ＲＴ１〜ＲＴｎは中継機器としての中継端末をそれぞれ示している。
【００１５】
健康機器ＶＤ１〜ＶＤｍは、例えば血圧計や体温計、歩数計、パルスオキシメータからなり、何れも無線ネットワークを介して中継端末ＲＴ１〜ＲＴｎに対し計測データを送信する機能を有している。無線ネットワークとしては、例えばBluetooth（登録商標）等の小電力無線データ伝送規格を採用した無線ネットワークが用いられる。
【００１６】
中継端末ＲＴ１〜ＲＴｎは、携帯電話機やスマートフォン、タブレット型端末、サブノート型のパーソナル・コンピュータ等の携帯端末からなる。中継端末ＲＴ１〜ＲＴｎは、広域エリアネットワーク（ＷＡＮ：Wide Area Network）４を介してＰＨＲサーバＳＶとの間でデータ無線伝送を行う無線インタフェースと、上記健康機器ＶＤ１〜ＶＤｍから送信された計測データを受信するための無線インタフェース機能を備え、さらにＰＨＲサーバＳＶに対しアクセスするためのブラウザ機能を備える。そして、これらの機能を使用して、上記健康機器ＶＤ１〜ＶＤｍから送信された計測データをＰＨＲサーバＳＶへ中継転送すると共に、ＰＨＲサーバＳＶから送信された閲覧用の表示画面データを受信してディスプレイに表示する。なお、広域エリアネットワーク４を介してＰＨＲサーバＳＶとの間でデータ伝送を行う通信インタフェースとしては、有線インタフェースを用いることも可能である。
【００１７】
ＰＨＲサーバＳＶは、例えば健康サービス事業者がＷｅｂ上で管理運用するもので、以下のように構成される。図２はその機能構成を示すブロック図である。  
すなわち、ＰＨＲサーバＳＶは、制御ユニット１と、広域エリアネットワーク用のインタフェース（ＷＡＮ Ｉ／Ｆ）２と、記憶ユニット３を備えている。ＷＡＮ Ｉ／Ｆ２は、上記中継端末ＲＴ１〜ＲＴｎとの間で上記ＷＡＮ４により規定されるプロトコルに従い無線データ通信を行う。
【００１８】
記憶ユニット３は、記憶媒体として例えばＨＤＤ（Hard Disc Drive）やＳＳＤ（Solid State Drive）を用いたもので、利用者情報データベース（利用者情報ＤＢ）３１と、機器情報データベース（機器情報ＤＢ）３２と、設定ファイル記憶部３３と、データテーブル記憶部３４を備えている。
【００１９】
利用者情報ＤＢ３１には、利用者ごとにその利用者ＩＤに関連付けて当該利用者の名前や属性情報を含む利用者情報が格納される。図６はその一例を示すものである。機器情報ＤＢ３２には、市販されている全ての健康機器の機器ＩＤと関連付けて、当該機器の種別やメーカ名、機能等を表す機器情報が記憶されている。図７はその一例を示すものである。データテーブル記憶部３４には、健康機器ＶＤ１〜ＶＤｍの種類別に構築された複数のデータテーブルが格納される。設定ファイル記憶部３３には、上記各データテーブルと計測データの種類との対応関係を表す情報を保持する設定ファイルが格納される。
【００２０】
制御ユニット１は、ＣＰＵ（Central Processing Unit）を備え、この実施形態を実施するために必要な制御処理機能として、データ受信解析処理部１１と、設定ファイル書換処理部１２と、テーブル構築処理部１３と、計測データ記憶制御部１４と、表示画面データ生成処理部１５を有している。なお、これらの制御処理機能は何れも、図示しないプログラムメモリに格納されたアプリケーション・プログラムを上記ＣＰＵに実行させることにより実現される。
【００２１】
データ受信解析処理部１１は、中継端末ＲＴ１〜ＲＴｎから伝送データが送信された場合に、当該伝送データをＷＡＮ Ｉ／Ｆ２を介して受信し、この受信された伝送データを解析することで先ず送信元の利用者ＩＤと機器ＩＤを抽出する。そして、この抽出された利用者ＩＤ及び機器ＩＤをもとにそれぞれ利用者情報ＤＢ３１及び機器情報ＩＤ３２を検索し、利用者情報及び機器情報をそれぞれ特定する。次に、特定された利用者情報及び機器情報をもとに設定ファイル記憶部３３を検索し、当該利用者の当該機器種別に対応するデータテーブルが構築済か未構築かを判定する処理を行う。
【００２２】
設定ファイル書換処理部１２は、上記データ受信解析処理部１１により送信元の利用者の登録を要求された機器に対応するデータテーブルが未構築と判定された場合に、上記設定ファイルに新たな項目を追加する処理を行う。
【００２３】
テーブル構築処理部１３は、上記設定ファイル書換処理部１２により新たな項目が追加された設定ファイル、つまり書き換え処理後の設定ファイルを再度読み込み、この読み込まれた設定ファイルにおける設定内容を反映したデータテーブルを構築して、データテーブル記憶部３４に格納する処理を行う。
【００２４】
計測データ記憶制御部１４は、上記データ受信解析処理部１１により受信された伝送データを解析して計測データ（計測値と計測時刻を含む）を抽出し、この抽出された計測データを上記新たに構築されたデータテーブルに格納する処理を行う。
【００２５】
表示画面データ生成処理部１５は、先ず記憶ユニット３内の図示しない表示テンプレート記憶部から汎用の表示画面データを読み出し、この読み出された汎用の表示画面データのラベル情報を、上記設定ファイル記憶部３３に記憶された設定ファイルに記載される機器情報に基づいて計測機器の種類を表す情報に変更する。続いて、上記データテーブル記憶部３４から対応する計測機器の計測データを読み出し、この読み出された計測データを上記ラベル情報が変更された表示画面データに重畳することにより表示画面データを生成する。そして、この生成された表示画面データをＷＡＮ Ｉ／Ｆ２から送信元の中継端末ＲＴ１〜ＲＴｎに向け送信する処理を行う。
【００２６】
（動作）
次に、以上のように構成されたＰＨＲサーバＳＶによる新規データ登録処理の動作を説明する。図３はその処理手順と処理内容を示すフローチャート、図４はシステム全体のデータの流れを示すシーケンス図である。  
なお、ここでは、利用者Ａの血圧計ＶＤ１に対応するデータテーブルが既にデータテーブル記憶部３４に格納されているが、それ以外の健康機器に対応するデータテーブルは格納されていないものとして説明を行う。
【００２７】
いま、例えば利用者Ａが血圧計ＶＤ１により自身の血圧を測定し、その計測データを利用者ＩＤを含む登録要求と共に中継端末ＲＴ２を使用してＰＨＲサーバＳＶへ向け送信したとする。  
ＰＨＲサーバＳＶは、待機状態においてステップＳ１１により伝送データの受信の有無を監視しており、この状態で上記伝送データを受信すると、ステップＳ１２によりデータ受信解析処理部１１を起動する。そして、このデータ受信解析処理部１１の制御の下で、上記受信された伝送データを解析して先ず送信元の利用者ＩＤと機器ＩＤを抽出する。そして、この抽出された利用者ＩＤ及び機器ＩＤをもとにそれぞれ利用者情報ＤＢ３１及び機器情報ＩＤ３２を検索し、利用者情報及び機器情報をそれぞれ読み出す。続いて、ステップＳ１３において、上記読み出された利用者の利用者情報及び機器情報をもとに、設定ファイル記憶部３３に記憶されている対応する設定ファイルを参照し、当該利用者Ａに対応付けられたデータテーブルの中に上記機器情報による表される健康機器（血圧計）に対応するテーブルが既に存在するか否かを判定する。
【００２８】
この判定の結果、血圧計に対応するデータテーブルが既に存在すれば、ＰＨＲサーバＳＶはステップＳ１４に移行し、このステップＳ１４において上記受信された伝送データから上記血圧の測定データを抽出して、上記既存の血圧用データテーブルに格納する。このときデータテーブルには、例えば図４に示すように最高血圧と最低血圧が格納され、さらに計測時刻が格納される。その他、脈拍数等を併せて格納するようにしてもよい。
【００２９】
一方、利用者Ａが例えばパルスオキシメータＶＤｉにより計測を行い、その計測データをその登録要求と共に自身の中継端末ＲＴ２を使用してＰＨＲサーバＳＶへ向け送信したとする。  
ＰＨＲサーバＳＶは、上記伝送データを受信すると、先に述べた「血圧測定」の場合と同様に、ステップＳ１２においてデータ受信解析処理部１１の制御の下、上記受信された伝送データを解析して送信元の利用者ＩＤと機器ＩＤを抽出する。そして、この抽出された利用者ＩＤ及び機器ＩＤをもとにそれぞれ利用者情報ＤＢ３１及び機器情報ＩＤ３２を検索し、利用者情報及び機器情報をそれぞれ読み出す。
【００３０】
例えば、いま図５に示すような伝送データが受信されたとすれば、図中太字で示すＰＩＤの情報から利用者ＩＤ“123456789”が抽出され、この利用者ＩＤをキーに図６に示す利用者情報ＤＢ３１から“利用者Ａ”が検索される。さらに、ＯＢＸの情報から当該利用者が使用した計測機器のＩＤ“528388”が抽出され、この機器ＩＤをキーに図７に示す機器情報ＤＢ３２から“パルスオキシメータ”が検索される。
【００３１】
続いて、ステップＳ１３において、上記読み出された“利用者Ａ”の情報及び“パルスオキシメータ”の情報をもとに、設定ファイル記憶部３３に記憶されている利用者Ａに対応する設定ファイルを参照し、当該利用者Ａに対応付けられたデータテーブルの中に上記“パルスオキシメータ”に対応するテーブルが存在するか否かを判定する。
【００３２】
この判定の結果、“パルスオキシメータ”に対応するデータテーブルが存在しなければ、ステップＳ１５に移行して設定ファイル書換処理部１２を起動し、この設定ファイル書換処理部１２の制御の下、設定ファイル記憶部３３に記憶されている利用者Ａに対応する設定ファイルに新たな項目を追加する。
【００３３】
次に、ステップＳ１６において、テーブル構築処理部１３の制御の下で、上記新たな項目が追加された設定ファイル、つまり書き換え処理後の設定ファイルを再度読み込む。そして、この読み込まれた設定ファイルにおける設定内容を反映した、“パルスオキシメータ”に対応するデータテーブルを構築し、データテーブル記憶部３４に格納する。図８にこのとき構築された“パルスオキシメータ”に対応するデータテーブルを示す。
【００３４】
続いて、ステップＳ１７において、データ受信解析処理部１１の制御の下で、上記受信された伝送データを解析し、計測データを抽出する。例えば、図９（ａ）に示す伝送データであれば、計測データが挿入されたＯＢＸの情報から「酸素飽和度」の計測値“80.5”と、その計測時刻“20110615123454”を抽出する。そして、ステップＳ１８において計測データ記憶制御部１４を起動し、この計測データ記憶制御部１４の制御の下、上記抽出された「酸素飽和度」の計測値“80.5”と、その計測時刻“20110615123454”を、上記新たに構築された“パルスオキシメータ”に対応するデータテーブルに格納する。図９（ｂ）にその格納後の“パルスオキシメータ”に対応するデータテーブルを示す。
【００３５】
またＰＨＲサーバＳＶは、データテーブルに格納された計測データを次のように利用者Ａの中継端末ＲＴ２に表示させる。すなわち、利用者の中継端末ＲＴ１〜ＲＴｍから送信された所望の計測データの閲覧要求を受信すると、表示画面データ生成処理部１５の制御の下、先ずステップＳ１９により記憶ユニット３内の図示しない表示テンプレート記憶部から汎用の表示画面データを読み出す。そして、この読み出された汎用の表示画面データのラベル情報を、上記設定ファイル記憶部３３に記憶された利用者Ａの設定ファイルの機器情報に基づいて計測機器の種類を表す情報に変更する。例えば、利用者からの閲覧要求が“パルスオキシメータ”であれば、図１０（ａ），（ｂ）に示すようにラベルを“パルスオキシメータ”に変更する。
【００３６】
続いてステップＳ２０において、上記データテーブル記憶部３４から対応する計測機器の計測データを読み出し、この読み出された計測データを、上記ラベル情報が変更された表示画面データに重畳することにより表示画面データを生成する。例えば図１０（ｂ）に示すように、「酸素飽和度」の計測値“80.5”をグラフからなる表示画面データ上にプロットすると共に、その数値を表すテクストデータを表示する。
【００３７】
そして、最後にステップＳ２１において、上記生成された表示画面データをＷＡＮ Ｉ／Ｆ２から要求元の中継端末ＲＴ２に向け送信する。かくして、中継端末ＲＴ２には、上記「酸素飽和度」の計測値“80.5”がグラフ上にプロットされた“パルスオキシメータ”用の表示データがディスプレイに表示される。  
なお、データ登録処理とデータ閲覧処理は続けて実行してもよいが、別々に実施するようにしてもよい。
【００３８】
（効果）
以上詳述したように一実施形態によれば、健康機器ＶＤ１〜ＶＤｍにより計測されたデータを含む伝送データを受信した場合に、当該受信された伝送データを解析して利用者ＩＤと機器ＩＤを抽出し、この抽出された利用者ＩＤに対応する設定ファイルに上記機器ＩＤに対応する項目が設定されているか否かを判定する。そして、項目が設定されていないと判定された場合には、当該設定ファイルに新たな項目を追加し、この新たな項目が追加された設定ファイルの設定内容に基づいてデータテーブルを新たに構築し、上記受信された伝送データから計測データを抽出して、この抽出された計測データを上記新たに構築されたデータテーブルに格納するようにしている。
【００３９】
したがって、計測データが受信されるごとに、当該計測データが新たな種類のものか否かが判定され、新たな種類のものだった場合には自動的に設定ファイルが書き換えられ、その内容に応じてデータテーブルが構築されて計測データが登録される。このため、例えば利用者が新たに計測機器を購入してその計測データを追加登録しようとした場合に、利用者は計測データを通常通り送信するだけで、当該新たな種類の計測データを追加登録することが可能となる。また、記憶ユニット３には常に利用者の要求に応じた必要十分なデータテーブル記憶部３４が用意されるので、記憶ユニット３の記憶容量等のリソースの無駄を無くすことが可能となる。
【００４０】
また、一実施形態では、汎用の表示画面データを利用して、そのラベル情報を変更した上で計測データをプロット表示するようにしたので、サービス事業者側は計測データの種類毎に専用の表示画面データを作成する必要がなくなり、また利用者側は表示画面データのラベル情報により計測データの種類を明確に識別することが可能となる。
【００４１】
［他の実施形態］
前記実施形態ではＰＨＲサーバＳＶ内に記憶ユニット３を設けた場合を例にとって説明したが、記憶ユニット３をＰＨＲサーバＳＶとは独立する蓄積サーバに設け、これらのサーバ間をＷＡＮやＬＡＮ（Local Area Network）等のネットワークを介して接続するようにしてもよい。
【００４２】
その他、ＰＨＲサーバの構成や計測データの登録処理の手順及び処理内容、計測機器の種類等についても、この発明の要旨を逸脱しない範囲で種々変形して実施可能である。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４３】
ＳＶ…ＰＨＲサーバ、ＲＴ１〜ＲＴｎ…中継端末、ＶＤ１〜ＶＤｍ…健康機器、１…制御ユニット、２…広域エリアネットワークインタフェース（ＷＡＮ Ｉ／Ｆ）、３…記憶ユニット、１１…データ受信解析処理部、１２…設定ファイル書換処理部、１３…テーブル構築処理部、１４…計測データ記憶制御部、１５…表示画面データ生成処理部、３１…利用者情報データベース（利用者情報ＤＢ）、３２…機器情報データベース（機器情報ＤＢ）、３３…設定ファイル記憶部、３４…データテーブル記憶部。
【図１】
2014215690.tif 000003
【図２】
2014215690.tif 000004
【図３】
2014215690.tif 000005
【図４】
2014215690.tif 000006
【図５】
2014215690.tif 000007
【図６】
2014215690.tif 000008
【図７】
2014215690.tif 000009
【図８】
2014215690.tif 000010
【図９】
2014215690.tif 000011
【図１０】
2014215690.tif 000012